(57)【特許請求の範囲】
【請求項１】
凝縮相のサンプルを分析する方法であって、該方法が、
前記サンプルの表面に液体の噴射を行う段階であって、前記液体の噴射は前記サンプルの表面を貫くのに十分な圧力を有する液体流を含み、イオン又はイオンに変換可能なサンプル粒子を含む液滴を形成する、液体の噴射を行う段階と、
前記液滴の液体を蒸発させる、又は蒸発させることができるようにすることによって、気体状イオンを得る段階と、
前記気体状イオンを分析装置ユニットにより分析する段階と
を含む、前記方法。
【請求項２】
水、水溶液又は他の任意の極性溶媒、或いはそれらの任意の混合物を、前記液体噴射の液体成分として利用する請求項１に記載された方法。
【請求項３】
前記分析装置ユニットと、等電位の前記液体噴射及びサンプルとの間に電位差を加える請求項１又は請求項２に記載された方法。
【請求項４】
前記分析装置ユニットが、質量分析計及びイオン移動度分光計のうちの少なくとも1つを含む請求項１から請求項３までのいずれか１項に記載された方法。
【請求項５】
得られた前記気体状イオンを、サンプル収集装置ユニットを通して分析装置ユニットへ移動させる請求項１から請求項４までのいずれか１項に記載された方法。
【請求項６】
前記イオンに変換可能なサンプル粒子を、分析装置ユニットとサンプルとの間でイオン化させる請求項１から請求項５までのいずれか１項に記載された方法。
【請求項７】
前記サンプルを表面に堆積させる請求項１から請求項６までのいずれか１項に記載された方法。
【請求項８】
前記サンプルの温度を、外部から冷却又は加熱によって制御する請求項１から請求項７までのいずれか１項に記載された方法。
【請求項９】
前記液体の噴射から生じ、分析装置ユニットに移動されなかった過剰な液体を、前記方法の間に、吸引によって除去する請求項１から請求項８までのいずれか１項に記載された方法。
【請求項１０】
前記液体の噴射のまわりに高速のガスの覆いを生成する請求項１から請求項９までのいずれか１項に記載された方法。
【請求項１１】
複数の液体噴射を噴射する請求項１から請求項１０までのいずれか１項に記載された方法。
【請求項１２】
前記サンプルの組成の空間的分布を測定するために、前記液体の噴射を前記サンプルに対して移動させる請求項１から請求項１１までのいずれか１項に記載された方法。
【請求項１３】
前記サンプルの組成の空間的分布を測定するために、前記サンプルを前記液体の噴射に対して移動させる請求項１から請求項１１までのいずれか１項に記載された方法。
【請求項１４】
前記サンプルの組成の深さ方向の分布を測定するために、前記液体噴射を用いて前記サンプルに切り込む請求項１から請求項１３までのいずれか１項に記載された方法。
【請求項１５】
前記サンプルが生物組織である請求項１から請求項１４までのいずれか１項に記載された方法。
【請求項１６】
前記サンプルを周知の外科的方法によって露出させる請求項１５に記載された方法。
【請求項１７】
前記液滴、及び前記液体噴射と前記サンプルとの相互作用により生成されたサンプル粒子を、気体を流動させる方法によって前記分析装置ユニットへ移動させる請求項１から請求項１６までのいずれか１項に記載された方法。
【請求項１８】
前記サンプルの特定成分と反応する化合物を前記液体噴射に混合する請求項１から請求項１７までのいずれか１項に記載された方法。
【請求項１９】
大気圧とは異なる圧力条件下で実施される請求項１から請求項１８までのいずれか１項に記載された方法。
【請求項２０】
凝縮相のサンプルの成分を気体状イオンに変換して分析を行う装置において、該装置が、 
サンプル収集装置ユニットと、
前記サンプル収集装置ユニットからの気体状イオンを受け取り分析を行う分析装置ユニットと、
対象位置に向けられるノズルを有する脱離ユニットとを
備え、前記ノズルは液体の噴射を提供するように構成され、該液体の噴射は前記サンプルの表面を貫くのに十分な圧力を有する液体流を含み、イオン又はイオンに変換可能なサンプル粒子を含む液滴を形成するようになっている、装置。
【請求項２１】
前記液体の噴射の液体が、水、水溶液又は他の任意の極性溶媒、或いはそれらの任意の混合物である請求項２０に記載された装置。
【請求項２２】
前記対象位置が、サンプルを保持するための表面体を含み、前記装置が、前記液体の噴射と前記表面体との間に電位差を発生させる装置をさらに有する請求項２０又は請求項２１に記載された装置。
【請求項２３】
前記分析装置ユニットが、質量分析計及びイオン移動度分光計のうちの少なくとも１つである請求項２０から請求項２２までのいずれか１項に記載された装置。
【請求項２４】
前記サンプル収集装置ユニットの出口が、前記対象位置のすぐ近くに配置される請求項２０から請求項２３までのいずれか１項に記載された装置。
【請求項２５】
前記液滴の液体を蒸発させるためのユニットが、前記対象位置と前記分析装置ユニットとの間に配置される請求項２０から請求項２４までのいずれか１項に記載された装置。
【請求項２６】
サンプル粒子をイオン化するためのユニットが、前記対象位置と前記分析装置ユニットとの間に配置される請求項２０から請求項２５までのいずれか１項に記載された装置。
【請求項２７】
前記対象位置が、サンプルを保持するための表面体を含み、前記装置が、前記サンプルに対する前記脱離ユニットの位置を制御するか、前記脱離ユニットに対する前記サンプルの位置を制御する位置制御装置をさらに有する請求項２０から請求項２６までのいずれか１項に記載された装置。
【請求項２８】
凝縮相のサンプルの成分を気体状イオンに変換して分析する装置において、該装置が、
分析装置ユニットに接続される管を有するサンプル収集装置と、
対象位置に向けられるノズルを有する脱離ユニットとを
備え、前記ノズルは液体の噴射を提供するように構成され、該液体の噴射は前記サンプルの表面を貫くのに十分な圧力を有する液体流を含み、イオン又はイオンに変換可能なサンプル粒子を含む液滴を形成するようになっており、
前記脱離ユニットと前記管とが、ホルダによって互いに固定される、装置。
【請求項２９】
前記液体の噴射の液体が、水、水溶液又は他の任意の極性溶媒、或いはそれらの任意の混合物である請求項２８に記載された装置。
【請求項３０】
前記液体噴射と、前記管との間に電位差を発生させるための装置を有する請求項２８又は請求項２９に記載された装置。
【請求項３１】
前記管の出口が、前記ノズルのすぐ近くに配置される請求項２８から請求項３０までのいずれか１項に記載された装置。
【請求項３２】
前記サンプル収集装置ユニット、又は前記管が、ヒータ及び温度計を有する請求項２８から請求項３１までのいずれか１項に記載された装置。
【請求項３３】
前記サンプル収集装置ユニットが、前記液滴又はイオンに変換可能な前記サンプル粒子をイオン化させるための装置を有する請求項２８から請求項３２までのいずれか１項に記載された装置。
【発明の詳細な説明】
【技術分野】
【０００１】
本発明の主題は、凝縮相のサンプル成分を気体状イオンに変換し、それを分析するための方法及び装置である。
【０００２】
本発明による方法の実施中、高速の液体噴射をサンプルの表面に衝突させる。液体がサンプルの表面に衝突する際に生成される液体の液滴が、サンプルの成分を運び去る（脱離ステップ）。溶媒の蒸発後に残るサンプルは、気体状イオン自体であるか、或いは熱的、電磁気的効果などの外部効果を使用することによって気体状イオンに変換できるものである（気体状イオンを提供するための任意選択のステップ）。得られた気体状イオンは、好ましくは質量分析又はイオン移動度分析によって分析される（検出ステップ）。
【背景技術】
【０００３】
質量分析イオン化法は、従来から気体物質又は揮発性物質を分析するために開発されてきた。こうしたイオン化法の欠点は、不揮発性化合物の分析能力がないことである。この群の化合物には、例えばペプチド、タンパク質、核酸、炭水化物が含まれる。１９７０年代から、気体／固体の界面で凝縮相の分子を直接イオンに変換し、その後発生しようとしているイオンを気相へ移すことのできる、新しい系統のイオン化法が開発されてきた。こうしたイオン化法は、生成されたイオンの脱離と組み合わされるため、一般に「脱離イオン化」法と呼ばれる。最初の脱離イオン化法は、電界によって引き起こされる、いわゆる電界脱離イオン化であり、鋭い表面形態の縁部のまわりに形成される大きい電界勾配を利用して、表面に存在する分子のイオン化及び脱離を並行して行うものである（Ｂｅｃｋｅｙ、Ｈ．Ｄ．、Ｏｒｇａｎｉｃ  Ｍａｓｓ  Ｓｐｅｃｔｒｏｍｅｔｒｙ  ６（６）、６５５８−（１９７２））（非特許文献１）。この方法の欠点は、サンプルをエミッタ針の縁部先端に堆積させなければならず、エミッタ先端の形状がイオン化効率に強い影響を及ぼすことである。
【０００４】
次世代の脱離イオン化法は、イオン化のために、いわゆる分析ビームを利用することによる別のイオン化法に基づいている。この方法では、高エネルギーのイオン、原子又は光子を含むビームを、調査サンプルの表面に衝突させる。分析ビームが表面に衝突すると、調査サンプル由来の若干の気体状イオン又は分子が生成される。分析ビームを利用する最初の方法は、放射性崩壊によって発生した高エネルギー粒子を使用するプラズマ脱離イオン化であった（Ｍａｃｆａｒｌａｎｅ、Ｒ．Ｄ．他、Ｓｃｉｅｎｃｅ、１９１（４２３０）、９２０−９２５（１９７６））（非特許文献２）。
【０００５】
プラズマ脱離の場合にははっきりしないビームを利用していたが、同時に実用的に開発された二次イオン質量分析（ＳＩＭＳ）は、電位差によって加速された、はっきりした（ｗｅｌｌ−ｄｅｆｉｎｅｄ）イオンの分析ビームを使用するものであった（Ｂｅｎｎｉｇｈｏｖｅｎ、Ａ．、Ｓｕｒｆａｃｅ  Ｓｃｉｅｎｃｅ  ２８（２）  ５４１−（１９７１））（非特許文献３）。ＳＩＭＳはイオン・ビームの直径が小さいため、優れた空間分解能を実現するが、ＳＩＭＳイオン化を受ける分子の分子量の範囲が制限される。この方法を深さ方向の分析に使用することもできるが、この場合、生成されるイオンが１個又は２個の原子しか含まないため、分子量の制限がより重大になる。ＳＩＭＳイオン化の場合、最初に液体サンプルについての研究が発展した（液体ＳＩＭＳ；ＬＳＩＭＳ、Ａｂｅｒｔｈ、Ｗ．、Ａｎａｌｙｔｉｃａｌ  Ｃｈｅｍｉｓｔｒｙ、５４（１２）：２０２９−２０３４（１９８２））（非特許文献４）。ＬＳＩＭＳは、元の方法に比べて範囲の制限が厳しくなく、例えばそれによって小さいタンパク質分子をイオン化することができる。ＬＳＩＭＳの欠点は、サンプルを、高い表面張力及び低い蒸気圧を有するグリセロールなどの溶媒に溶解させなければならないことである。このステップは、しばしば溶解度の問題を伴い、また固体サンプルを溶解するため、当然ながら、サンプル分子の空間的分布に関する情報が得られる可能性は排除される。
【０００６】
さらに発展型のＬＳＩＭＳが、「高速原子衝撃」（ＦＡＢ）法である（Ｗｉｌｌｉａｍｓ、Ｄ．Ｈ．等、ＪＡＣＳ、１０３（１９）：５７００−５７０４（１９８１））（非特許文献５）。その技術は、貴ガス・イオンの静電加速、それに続く中和に基づいており、イオン化に利用可能な依然として高いエネルギーを有する貴ガス原子の中性ビームを与える。ＦＡＢイオン化は、液相サンプルの分析にも適している。
【０００７】
ＳＩＭＳ技術の開発のもう１つの方向性により、従来から利用されてきた金イオンの代わりに多価帯電したグリセロール・クラスターを利用する、いわゆるマッシブ・クラスター衝撃（ＭＣＩ）（マッシブ・クラスター衝撃；ＭＣＩ、Ｍａｈｏｎｅｙ、Ｊ．Ｆ．、Ｒａｐｉｄ  Ｃｏｍｍｕｎｉｃａｔｉｏｎｓ  ｉｎ  Ｍａｓｓ  Ｓｐｅｃｔｒｏｍｅｔｒｙ、５（１０）：４４１−４４５（１９９１））（非特許文献６）がもたらされた。この技術は固体表面の分析に利用することが可能であり、分析される分子の重量は実質上制限されない。この技術の他の利点は、ＳＩＭＳに比べて、質量分析によってより効率的に分析できる多価イオンが生成されることである。
【０００８】
上記の方法に共通する欠点は、厳密には、それらすべてが高真空の条件下で機能することである。したがって、サンプルは質量分析計の高真空領域に導入されるが、それはサンプルの組成及びサイズに対する強い制約を伴う。
【０００９】
１９８０年代初期から、分析ビームとしてレーザを利用するレーザ脱離イオン化法が開発された（Ｃｏｏｋｓ、Ｒ．Ｇ．等、ＪＡＣＳ、１０３（５）：１２９５−１２９７（１９８１））（非特許文献７）。単純なレーザ脱離イオン化はＳＩＭＳと同様に不十分なイオン化効率を示し、きわめて限られた範囲の分子の研究にしか用いることができない。レーザ脱離法の応用範囲は、いわゆるマトリックス化合物の利用によって劇的に広げられた。一般的には、きわめて過剰に存在するマトリックス化合物を溶液相中のサンプルに混合し、混合物を固体保持体上に共結晶化させ、得られた結晶化サンプルをレーザ脱離、すなわち分析ビームとしてレーザを用いることによって分析する。その新しい方法は、マトリックス支援レーザ脱離イオン化（ＭＡＬＤＩ）と命名された（Ｋａｒａｓ、Ｈｉｌｌｅｎｋａｍｐ、Ａｎａｌｙｔｉｃａｌ  Ｃｈｅｍｉｓｔｒｙ、６０（２０）：２２９９−２３０１（１９８８））（非特許文献８）。その技術は一般に、ポリマー、タンパク質、炭水化物及び核酸などの高分子化合物の分析に利用できる。ＭＡＬＤＩの主な欠点は、この技術は検体分子をマトリックスの結晶格子に埋め込む必要があることであり、したがって自然表面の分析には問題がある。
【００１０】
最近、大気条件下で機能する脱離イオン化法に対する要求が高まってきている。大気圧での脱離イオン化法の利点には、（１）サンプルを質量分析計の真空領域に導入しないため、分析手順が迅速化されること、（２）サンプルを真空に入れないため、揮発性成分の除去が不要になること、（３）この方法で任意の物体を調べることができること、（４）生体を直接調べることができることが含まれる。原子又はイオンの高速ビームを利用する脱離イオン化法は、高圧では気体分子と連続的に衝突するために粒子を適切な速度まで加速することができず、この現象が粒子ビームの発散の原因となるため、大気条件下で使用することができない。
【００１１】
上記の方法の中では、レーザ・ビームが空気分子と相互作用しないため、ＭＡＬＤＩイオン化のみが大気圧で計測器を変えずに実施することが可能である。大気圧でのＭＡＬＤＩは、２００２年にＬａｉｋｏ等によって開発された。しかしながら、イオンの収量が低く、大気との界面でかなりのイオンが失われることによって収量がさらに減少すること、及び一般に開放的な実験設備でレーザを使用することに伴う作業場の安全の問題のため、その技術は広く普及しなかった。
【００１２】
最近開発された脱離エレクトロスプレー・イオン化（ＤＥＳＩ；Ｔａｋａｔｓ等、Ｓｃｉｅｎｃｅ、３０６（５６９５）：４７１−４７１、２００４）（非特許文献９）は事実上、上記のＭＣＩ技術の大気圧向けのものであるが、液滴がエレクトロスプレー法によって生成され、静電界の勾配の代わりに超音速のガス流によって所望の速度まで加速されるという重要な違いがある。それにもかかわらず、ＤＥＳＩは大気圧での脱離イオン化法に関連するすべての期待を満足させ、任意の物体をその化学組成及びサイズに関係なく質量分析することを可能にした。ＤＥＳＩ法の過程では、高速のエレクトロスプレーによる液滴がサンプルの表面に衝突する。衝突する液滴は表面に存在する分子を溶かし、やはり帯電した二次的な液滴を放出する。こうした帯電した二次的な液滴が、溶媒の完全な蒸発によって最終的にイオンを発生させる。
【００１３】
ＤＥＳＩ技術には、以前に開発された脱離法に比べていくつかの利点があるが、いくつかの応用分野では欠点も示す。第一に、ＤＥＳＩは厳密な表面分析法であり、したがって、ほとんどのサンプルの場合に深さ方向の分析能力がない。第二に、帯電した液滴の大気圧のビームは、本質的に帯電した粒子間のクーロン反発力によって発散するため、高分解能の化学イメージングを妨げる。さらに、分析の観点からＤＥＳＩは生物組織に十分適合しているが、ＤＥＳＩの生体内での利用によって塞栓症が引き起こされることが様々な動物モデルにおいて示された。塞栓症は液滴の加速に利用される超音速の窒素の流れに関連付けられ、窒素の流れが気泡を組織内に送り込み、塞栓症を引き起こす。
【先行技術文献】
【非特許文献】
【００１４】
【非特許文献１】ベッキー（Ｂｅｃｋｅｙ、Ｈ．Ｄ．）、有機質量分析（Ｏｒｇａｎｉｃ  Ｍａｓｓ  Ｓｐｅｃｔｒｏｍｅｔｒｙ）、１９７２年、  ６（６）巻、ｐ６５５８
【非特許文献２】マクファーレン（Ｍａｃｆａｒｌａｎｅ、Ｒ．Ｄ．）他、サイエンス（Ｓｃｉｅｎｃｅ）、１９７６年、１９１（４２３０）巻、ｐ９２０−９２５
【非特許文献３】ベニンクホフェン（Ｂｅｎｎｉｇｈｏｖｅｎ、Ａ．）、表面科学（Ｓｕｒｆａｃｅ  Ｓｃｉｅｎｃｅ）  １９７１年、２８（２）巻  ｐ５４１
【非特許文献４】アバース（Ａｂｅｒｔｈ、Ｗ．）、分析化学（Ａｎａｌｙｔｉｃａｌ  Ｃｈｅｍｉｓｔｒｙ）、１９８２年、５４（１２）巻、ｐ２０２９−２０３４
【非特許文献５】ウィリアムス（Ｗｉｌｌｉａｍｓ、Ｄ．Ｈ．）他、ＪＡＣＳ、１９８１年、１０３（１９）巻、ｐ５７００−５７０４
【非特許文献６】マホニー（Ｍａｈｏｎｅｙ、Ｊ．Ｆ．）、質量分析速報（Ｒａｐｉｄ  Ｃｏｍｍｕｎｉｃａｔｉｏｎｓ  ｉｎ  Ｍａｓｓ  Ｓｐｅｃｔｒｏｍｅｔｒｙ）、１９９１年、５（１０）巻、ｐ４４１−４４５
【非特許文献７】クック（Ｃｏｏｋｓ、Ｒ．Ｇ．）他、ＪＡＣＳ、１９８１年、１０３（５）巻、ｐ１２９５−１２９７
【非特許文献８】カラス（Ｋａｒａｓ）、ヒレンカンプ（Ｈｉｌｌｅｎｋａｍｐ）、分析化学（Ａｎａｌｙｔｉｃａｌ  Ｃｈｅｍｉｓｔｒｙ）、１９８８年、６０（２０）巻、ｐ２２９９−２３０１
【非特許文献９】タカツ（Ｔａｋａｔｓ）他、サイエンス（Ｓｃｉｅｎｃｅ）、２００４年、３０６（５６９５）巻、ｐ４７１−４７１
【発明の概要】
【発明が解決しようとする課題】
【００１５】
これまでに列挙した問題に対する解決策を提供するために、高速の気体によって加速された液滴によって構成されたものではない、平行で高エネルギーの分析ビームを使用する別の大気圧での脱離イオン化法に対する要求が出てきている。我々の研究の目的は、サンプルの深さ方向の分析、高分解能の化学イメージング（画像化）、及び生体内での分析を行うことのできる大気圧でのイオン化法を開発することであった。
【課題を解決するための手段】
【００１６】
我々の研究成果として、好ましくは電荷を運ぶ、高速で連続的な液体噴射を分析ビームとして利用する、大気圧で機能する新しい方法及び装置が開発された。電荷をもたない液体ビームの場合もイオンを生成できるが、液体噴射自体が帯電粒子を有する場合には、液体噴射の衝突によってはるかに多数の帯電粒子を得ることができることに留意しなければならない。正電位によって正に帯電したイオンが発生し、負電位によって負に帯電したイオンが発生する。
【００１７】
発明は、十分なエネルギーを有する液体噴射（例えば水、水溶液、他の極性溶媒又はそれらの任意の組合せなど、任意の液体とすることができる）がサンプルから粒子を移動させることができ、それによって深さ方向の分析の可能性が確保されるという認識に基づいている。この方法の他の利点は、上記の高速液体噴射の発散性が低く、したがってマイクロメートル・スケールの分解能を有する化学イメージングを可能にすることに隠されており、さらにその方法を、生物系の生体内での研究に適用することができる。
【００１８】
発明の主題は、凝縮相のサンプルのある特定の成分を気体状イオンに変換し、それを分析するための方法であって、イオン又はイオンに変換可能なサンプル粒子を、脱離ユニットから放出された分析ビームによってサンプルから移動させ、得られた気体状イオンを分析する。この方法は、分析ビームとして液体噴射を行う段階、液体が表面にあたる際に生成される液滴の液体を蒸発させる、又は蒸発させることができるようにする段階を含む方法である。必要に応じて前記分析の前に、液体の液滴又は液体の蒸発によって得られたサンプル粒子をイオン化する。
分析は、サンプルのイオンの電荷、サイズ、質量又は他の特性に基づいてサンプルの成分を識別する周知の方法によって行われる。質量分析又はイオン移動度分析を利用することが好ましい。
【００１９】
本発明の好ましい具体例は、以下のとおりである：
水、水溶液又は他の任意の極性溶媒、或いはそれらの任意の混合物を、前記液体噴射の液体成分として利用する方法。
前記分析装置ユニットと、等電位の前記液体噴射及びサンプルとの間に電位差を加える方法。上記好ましい具体例では、前記液体噴射が好ましくは、例えば水などの導電性の液体であるため、前記サンプルが液体噴射と等電位になることが強調されなければならない。
前記分析装置ユニットとして、質量分析計又はイオン移動度分光計を利用する方法。
得られた前記気体状イオンを、この目的のために設計されたサンプル収集装置ユニットを通して前記分析装置ユニットへ移動させる方法。
前記液滴又は移動させたサンプル粒子を、前記分析装置ユニットとサンプルの間でイオン化させる方法。
分析前に、前記サンプルを表面体に被着させる方法。
前記サンプルの温度を、外部から冷却又は加熱によって制御する方法。
前記液体噴射から生じ、前記分析装置ユニットに移動されなかった過剰な液体を、この方法の間に吸引によって除去する方法。
前記液体噴射のまわりに高速のガス・マントル（覆い）を形成し、それによって液体噴射の摩擦及び発散を低減させる方法。
複数の液体噴射を利用する方法。
前記サンプルの組成の空間的分布を測定するために、１つ又は複数の前記脱離ユニットを前記サンプルに対して移動させる方法。
前記サンプルの組成の空間的分布を測定するために、前記サンプルを１つ又は複数の前記脱離ユニットに対して移動させる方法。
前記サンプルの組成の深さ方向の分布を測定するために、前記液体噴射を用いて前記サンプルに切り込む方法。
前記サンプルが生物組織である方法。
前記サンプルを、任意の周知の外科的方法によって露出させる方法。
前記液滴、及び前記液体噴射と前記サンプルとの相互作用により生成されたサンプル粒子を、必要に応じてイオン化後に、気体を流動させる方法によって前記分析装置ユニットへ移動させる方法。
前記サンプルの特定成分と反応する化合物を前記液体噴射に混合する方法。
大気とは異なる圧力条件下で実施される方法。
【００２０】
本発明の他の主題は、凝縮相のサンプルの成分を気体状イオンに変換するための装置であって、
サンプル６を保持するための表面体５と、
サンプル６からイオン、又はイオンに変換可能なサンプル粒子８を移動させるための、少なくとも１つの脱離ユニットＡと、
サンプル収集装置ユニット９と、
分析装置ユニット１０と
を有し、前記脱離ユニットＡが、液体噴射１を供給するノズル３、液体２を移動させるための管２Ｂを有し、前記管が前記ノズル３に接続され、前記ノズル３が、前記サンプル６を保持するための前記表面体５に向けられていることを特徴とする装置である。
【００２１】
前記装置の好ましい具体例は、以下のとおりである。
前記液体噴射が、水、水溶液又は他の任意の極性溶媒、或いはそれらの任意の混合物である装置。
前記液体噴射１と前記表面体５との間に電位差を発生させるための装置４を備える装置。好ましい実施例では、前記液体噴射が好ましくは、例えば水などの導電性の液体であるため、前記サンプルが液体噴射と等電位になることに留意しなければならない。
前記分析装置ユニット１０が、質量分析計又はイオン移動度分光計である装置。
前記サンプル収集装置ユニット９の出口９Ａが、表面体５のすぐ近くに配置される装置。
前記液体を蒸発させるためのユニット２が、前記表面体５と前記分析装置ユニット１０との間に配置される装置。
サンプル粒子をイオン化させるためのユニット８が、前記表面体５と前記分析装置ユニット１０との間に配置される装置。
脱離ユニットＡに対してサンプル６を移動させることができるように、少なくとも１つの脱離ユニットＡが、前記サンプル６に対する位置制御装置を有する、又は前記サンプル６を保持するための前記表面体５が、前記脱離ユニットＡに対する位置制御装置を有する装置。
【００２２】
発明の他の主題は、サンプルに空洞を作る又はサンプルを切断するために用いることができる、凝縮相のサンプルの成分を気体状イオンに変換するための装置であって、
サンプル６からイオン、又はイオンに変換可能なサンプル粒子８を移動させるための、少なくとも１つの脱離ユニットＡと、
サンプル収集装置９の一部であり、分析装置ユニットに接続される管２０と
を有し、前記脱離ユニットＡが、液体噴射１を供給するノズル３、および液体２を移動させるための管２Ｂを有し、管２Ｂが前記ノズル３に接続され、前記脱離ユニットＡ及び分析装置ユニットに接続された管２０が、ホルダ１９によって互いに固定されていることを特徴とする装置である。
【００２３】
その装置の好ましい実施例は、以下のとおりである。
前記液体が、水、水溶液又は他の任意の極性溶媒、或いはそれらの任意の混合物である装置。
前記液体噴射１と、分析装置ユニットに接続された前記管２０との間に電位差を発生させるための装置４を備える装置。好ましい実施例では、好ましくは前記液体噴射が、例えば水などの導電性の液体であるため、前記サンプルが液体噴射と等電位になることに留意しなければならない。
分析装置ユニットに接続された管２０の出口２０Ａが、前記ノズル３のすぐ近くに配置される装置。液滴、及び前記液体噴射と前記サンプルとの衝突によって発生したサンプル粒子は、好ましくはイオン化後に、電位差だけではなく、粘性のあるガス流（吸引又は吹き込み）によっても前記分析装置ユニットに移動させることができることに留意しなければならない。
前記サンプル収集装置ユニット９、又は分析装置ユニットに接続された前記管２０が、ヒータ２１及び温度計２２を備える装置。
前記サンプル収集装置ユニット９、又は分析装置ユニットに接続された前記管２０が、サンプル粒子８をイオン化させるための装置を備える装置。
【００２４】
サンプルの成分を直接気相へ移すことができない場合、又は望ましくない化学変化を伴わずにサンプルの温度を上昇させることができない場合、又は研究の目的が分析される成分の濃度の空間的分布を測定することである場合には、本発明による装置及び方法を利用することが特に好ましい。
【図面の簡単な説明】
【００２５】
【図１】本発明の動作概念を示す図。
【図２】本発明の実施例を示す図。
【図３】本発明の実施例を示す図。
【図４】本発明の実施例を示す図。
【図５】装置を用いることによって得られた質量スペクトルを示す図。
【図６】装置を用いることによって得られた質量スペクトルを示す図。
【図７】装置を用いることによって得られた質量スペクトルを示す図。
【図８】装置を用いることによって得られた質量スペクトルを示す図。
【発明を実施するための形態】
【００２６】
先の記述に関する重要な要素について以下に詳しく示す。定義されていない他の要素（例えば放出、成分）は、当分野の技術者には明らかである通常の意味で使われている。
【００２７】
１．凝縮相のサンプル
本明細書に記載される方法及び装置（以下では「本発明による方法」）は、イオン化して気相のイオンを生成することのできる成分を含む、任意の固体物質又は液体物質の分析に用いることができる。サンプルは、均質な構造又は任意に不均質な構造を有することができる（例えばヒト又は動物の組織、骨、木材など）。
【００２８】
本発明による方法は、有利には、溶液から堆積及び乾燥させたサンプル、好ましくは医療診断上の目的又は薬理学的な目的のために分析が行われる生物サンプルの分析に用いることができる。そうした生物サンプルの具体例は流体（すなわち、血液、尿、水薬など）である。当然ながら、こうして任意のサンプルからの抽出物を調べることもできる。
【００２９】
他の重要な応用分野は、自然物（実際に存在する物体がサンプルになる）の研究であり、自然物は任意に選択することができる（例えば、土、岩、食料品、生体組織）。他の重要な応用分野は、以下のとおりである。
生体組織の代謝過程の研究。
例えば脳などの生きた生物組織における薬物分子（又はペプチド、脂質など）の空間的分布の測定。
外科的処置の間、組織除去の効率を高め、除去される健康な組織の全体量を最小限に抑えるための、切断中の組織に関する情報（例えばそれが癌細胞を含んでいるかどうか）の取得。
有機汚染物（例えば真菌）又は無機汚染物（例えば抗真菌剤）を検出するための木材物の調査。
消費された物質（乱用薬物、アルコール、薬剤、コーヒー、ニコチンなど）の皮膚からの測定。
例えば（環境汚染、及びバクテリア又は真菌の生物マーカのための）現地調査における土壌サンプルの分析。
ヒト及び動物の食料の消費に関する健康状態、並びに望ましくない化学薬剤（例えば抗生物質）のレベルの測定。
好ましくはＩＣＰ−ＭＳ法との組合せによる、任意の物体の元素組成の空間的分布の測定。
【００３０】
２．液体噴射／液体
本発明による方法では、液体噴射の液体として理論的にはあらゆる適切な液体を利用できるが、導電性の液体を利用することが好ましく、それは水、水溶液、水を含む溶媒系、任意の極性溶媒（メタノール、エタノール、ジメチルホルムアミド、ジメチルスルホキシド、アセトニトリルなど）、好ましくはこうした溶媒中でイオン解離を受ける添加物、例えば酢酸、ギ酸、テトラメチルアンモニウムブロミドなどを含むそれらの混合物とすることができる。すべての溶媒系の中で、水がきわめて好ましい。
【００３１】
使用される液体に対してさらに要求されることは、噴射が崩壊して液滴にならないように十分高い表面張力を有することである。
【００３２】
液体は、サンプルとの化学反応を起こす化合物を含むことができる。液体は懸濁液でもよく、深さ方向の分析の場合には特に懸濁液が好ましい。
【００３３】
３．脱離ユニット
脱離ユニットは、適切な速度、直径、及び適切な方向への圧力を有する連続した液体を放出し、「サンプルからのサンプリング」を行うことができるものである。脱離ユニットは、ノズル３の中で終わる管２Ｂ又は１１であることが好ましい。
【００３４】
本発明による方法の好ましい実施例では、液体は、５０〜１５００バール、好ましくは１００〜１０００バール、より好ましくは２００〜６００バールの範囲の圧力で、１〜１００μｍ、好ましくは１〜６０μｍ、より好ましくは１〜５μｍの範囲の直径を有するノズルに押し込まれる。
【００３５】
４．粒子の脱離及びイオン化
液体噴射をサンプルに衝突させると、サンプルの粒子（サンプル粒子）を運び去る液滴が生成される。
【００３６】
溶媒が蒸発すると、帯電した液滴が気体状イオンを発生させる。
【００３７】
液滴は生成時に帯電させることができる、或いは後のステップにおいて、強い電位勾配の使用、又は他の帯電した液体の液滴との衝突、又は光イオン化、又はプラズマ（例えば誘導結合プラズマ、ＩＣＰ）によってイオン化することができる。最初の３つのケースでは、イオン化された液滴が分子イオンを発生させるが、後のケースでは原子イオンが生成される。それに応じて、最初の３つのケースでは主に分子レベルの分析情報を得ることができ、後のケースでは元素組成を測定することができる。
【００３８】
液体噴射の電位によって、生成時に前記液滴又は粒子を帯電させることが容易になるため、液体噴射と接地との間に１〜８ｋＶ、好ましくは２〜６ｋＶ、より好ましくは４〜５ｋＶの範囲の高い電圧を印加することにより、導電性の液体噴射と接地電位との間に電位勾配を確立することが好ましい。
【００３９】
５．蒸発
気体状イオンは分析装置ユニットに移動されるべきであるため、あらかじめ液滴から液体を完全に蒸発させなければならない。これは、自然な方法（すなわち、適用された温度で液体が蒸発すること）によって行うことができるか、或いは蒸発を加速する装置（例えばヒータや高温のガス流）を働かせることによって容易に行うことができる。
【００４０】
６．分析装置ユニット
分析装置ユニットはイオンを検出することが可能なものであり、したがって分析装置ユニットは、質量分析計又はイオン移動度分光計であることが好ましい。
【００４１】
７．収集装置ユニット
この方法によって生成された気体状イオンは、サンプル収集装置ユニット（内部に圧力差が生成される管であることが好ましい）を用いることによって分析装置ユニットに移動される。これは、上記の各ステップが直接分析装置ユニット内で行われない場合のみあてはまる（それが好ましい実施例である、以下参照）。
【００４２】
８．サンプルを保持するための表面体
サンプルを保持するために利用可能な表面体は、加えられる液体噴射に耐えることのできる電気絶縁性の表面体であることが好ましい。サンプル保持体は、プレキシガラス、ガラス、セラミックス又は石英で製造されることが好ましい。サンプル保持体の表面が導電性である場合には、適切な電源によって、表面と分析装置ユニットの入口との間に電位差を発生させる必要がある。
【００４３】
その他の好ましい具体例
１．この具体例では、分析ビームとして、高速の帯電した連続液体噴射が利用される。液体噴射が表面に衝突すると、液体が表面に蓄積され、前記液体は、真空に助けられ、衝突領域の近くに配置された管系を通して連続的に除去される。この構成により、時々発生する液体の蓄積によって引き起こされる表面の相互汚染、すなわち蓄積された液相によって分析物の分子がそれまで存在していなかった場所に移動することがなくなる。
【００４４】
２．この具体例では、分析されるサンプル及び／又は液体噴射のノズルが、３次元（３Ｄ）の移動を可能にする保持体ステージに取り付けられる。この機器構成によって、位置に依存するサンプルの化学組成に関する情報を提供することができる。
【００４５】
３．この具体例では、表面上の衝突点及び衝突角度が制御される。表面上の衝突点の制御された移動は、３Ｄ線形移動用の保持体ステージによって、サンプル及び液体を放出するノズルの互いに対する位置を制御するように行われる。液体噴射の衝突角度は、回転用の保持体ステージを用いて、サンプル又はノズルを所望の角度で回転させることによって制御される。
【００４６】
４．この具体例では、高圧電源の出口と分析ビームとして用いられる導電性の液体噴射とを電気的に接続することによって、イオン生成に必要な電位勾配が確立され、脱離ユニットは対電極として用いられる。
【００４７】
５．この具体例では、液体噴射は接地電位（＜１５０Ｖ）又はその近くに保たれ、サンプル収集装置ユニットは、生成されるイオンの極性とは反対の極性を有する高い電位（＞１０００Ｖ）に保たれる。
【００４８】
６．この具体例では、液体噴射はサンプル収集装置ユニットの入口に対して高い電位に保たれ、前記液体噴射は高速の気体噴射によって囲まれる。具体例は、噴射の減速を弱め、大気圧での噴射径の増大をも防ぐ。
【００４９】
７．この具体例では、液体噴射はサンプル収集装置ユニットの入口に対して高い電位に保たれ、サンプルを保持するステージの温度は、−５０〜＋３００℃の範囲に制御される。この具体例の利点は、周囲温度において液体であるか、又は柔らかいサンプルを、分析のために低温で固化できることである。この具体例の他の利点は、温度を高めると、ある特定の成分のイオン化効率を高めることができることである。
【００５０】
８．この具体例では、イオン化のために複数の連続液体噴射が利用され、液体噴射は、サンプル収集装置ユニットの入口に対して高い電位に保たれる。この具体例の利点は、こうしてより大きい表面を調べることが可能になること、また、より高いイオン電流が得られることである。
【００５１】
９．この具体例では、液体噴射は、サンプルのある特定の成分との速やかな化学反応を起こす化合物を含む。ある特定の場合には、前記化学反応の生成物が分析されるが、他の場合には、化学反応を利用して望ましくない成分のイオン化を抑える。
【００５２】
１０．この具体例では、低圧（ｐ＜１バール）が利用される。この場合、質量分析計の真空チャンバ内でイオン化を行うことができるため、生成されたイオンを、多量のイオンの損失を引き起こす質量分析計に対する大気のインターフェースを通して移動させる必要がなくなる。
【００５３】
１１．他の好ましい具体例では、液体噴射はサンプルに切り込むために用いられる（すなわち、液体噴射が切断装置として利用される）。この具体例は、切断中の物体の化学組成に関する実時間の情報を提供する。液体噴射の崩壊によって生成された液滴は、電位勾配を通って移動することにより帯電され、質量分析を用いて生成されたイオンを分析する。高圧電源を用いることによって、切断されるサンプルと質量分析計との間に電位差を確立する。
【００５４】
１２．他の好ましい具体例では、周知の外科用器具（電動式の外科用器具、外科用メス、レーザなど）を用いてサンプルに切り込み、こうして露出させたサンプルの各部分を、上記の方法を用いて分析する。このように、周知の外科的方法と本発明による方法を組み合わせることにより、前記液体から生成された液滴及び前記サンプルを電位勾配を通して案内し、結果として生じる気体状イオンを質量分析により分析することによって、切断中のサンプルの組成に関する情報が連続的に提供される。電位勾配は、サンプルと質量分析計との間に高圧電源を用いることによって確立される。他の具体例では、前記液滴及びサンプルの粒子を、好ましくはイオン化ステップ後に、ガス流（吹き込み又は吸引）を用いることによって分析装置ユニットへ移動させることもできる。
【００５５】
図面は一定の縮尺になっていないが、それらの目的は本発明の好ましい実施例を示すことである。同じ番号は同じ構造の要素を指す。
【００５６】
図１は、本発明による装置の動作概念を示している。本発明による方法の具体例では、ノズル３を通して導電性の液体２を送り込むことによって、高速の液体噴射１が生成される。液体２は、管２Ｂを通してノズル３へ運ばれる。高圧電源４を用いることによって、接地と液体噴射１との間に数キロボルト程度の電位差を生じさせる。表面体５に向けられた液体噴射１は液体の液滴７を発生させるが、表面体５が絶縁体であるか、又は導電性であるが接地から電気的に分離されている場合には、液滴７は帯電される。帯電した液滴７は、表面体５に堆積した液体２に可溶のサンプル６の粒子（例えば分子）を含む。帯電した液滴７から溶媒２を蒸発させると、サンプル６の液体２に可溶な成分の気体状イオン８が生成され、気体状イオン８はサンプル収集装置ユニット９（好ましくは大気のインターフェース）を通して、分析装置ユニット１０（イオンを質量分析法によって分析することのできる質量分析計であることが好ましい）へ移動させることができる。この方法によって、表面体５、或いは表面５が不活性である場合には表面体５に堆積したサンプル６に関する情報を集めることができる。
【００５７】
図２は、本発明による装置の好ましい実施例を示している。導電性の液体２、例えば０．１ｍＭのＨＣｌ水溶液が、５０〜１５００バールの圧力でステンレス鋼の管１１を通して送り込まれる。高圧電源４をステンレス鋼の管１１に接続することによって、液体２と接地との間に１〜８ｋＶの高い電位差を発生させる。液体２は、ステンレス鋼のコネクタ１２、ステンレス鋼のシール１３、及びねじを有していないねじ込み式ホルダ１４によって保持されたステンレス鋼又はサファイアのノズル１５を通して、１００〜１０００ｍ／秒の線速度で管１１から放出される。ステンレス鋼の管１１は、ねじ込み式ホルダ１２によって、回転及び３次元の線形移動用のステージに取り付けられる。移動システムによって、ノズル３、サンプル６及びサンプル収集装置ユニット９の相対位置、並びに衝突角度１５及び収集角度１６に対する適切な制御が行われる。ノズル３と表面体５との間の最適な距離の範囲は１〜２０ｍｍであり、最適な衝突角度１５の範囲は６０〜９０度である。表面に時々堆積する過剰な液体は、その遠位端がポンプに接続された排液管１７によって除去される。
【００５８】
図３は、実施例２で説明する本発明による装置の好ましい実施例を示している。図２とは異なり、ノズル３は、溶接で外径１．５８７５ｍｍ（１／１６’’）のステンレス鋼の管１１の端部を塞ぐことによって作製され、端部の壁にレーザ・ドリルによって１μｍの直径を有する長さ０．２ｍｍの穴があけられる。表面１８を深さ方向にすり減らすために、液体噴射１をサンプル６の表面と平行に移動させる一方、浸食された表面材料の、付加された液体に可溶なある特定の成分が気体状イオン８に変えられ、気体状イオン８がユニット９によって質量分析計へ運ばれる。適切なポンプを用いて表面に蓄積する過剰な液体を除去するために、ポリエチレンの排液管１７が利用される。
【００５９】
図４は、実施例３で詳しく説明する本発明による装置の好ましい実施例を示している。図２及び図３とは異なり、図４の装置は、毛管のプーラ（ｐｕｌｌｅｒ）装置を用いることによって製造された、溶融石英でできたノズル３を備えている。溶融石英のノズル３は、図２に示した実施例と同様に、コネクタ１３によってステンレス鋼の管１１に接続される。図２及び図３に示した実施例とは異なり、イオンは質量分析計の大気のインターフェースによって直接収集されるのではなく、分析装置ユニット（質量分析計）に接続された、長さ１ｍ、外径３．１７５ｍｍ（１／８’’）、内径２ｍｍの銅管２０を用いることによって収集される。銅管２０は、温度計２２からの温度のフィードバックを用いて制御されるヒータ２１によって加熱される。
【００６０】
この装置は、その主な機能が物体を直接サンプリングすることであるため、表面５を含まず、外科用の切断装置として使用することもできる。装置の各要素は、ホルダ１９によって確実に固定される。
【００６１】
図２及び図３の装置の実施例と同様に、時々表面に蓄積する過剰な液体を除去するために、やはりポリエチレンの排液管１７が利用される。装置の各要素の相対位置は、ホルダ１９によって与えられる。図４に見られる装置の目的は、サンプル６の表面の分析ではなく、切断中のサンプルの組成に関する化学的情報の方法及び収集２３によって、サンプル６を切断することである。
【００６２】
図５は、図２に示した装置によって得られた質量スペクトルを示している。鶏卵の卵白のリゾチーム１００ｎｇを含む水溶液１０μｌを、ポリメタクリル酸メチルの表面に堆積及び乾燥させた。表面から脱離したリゾチームの気体状イオンを、Ｔｈｅｒｍｏ  Ｆｉｎｎｉｇａｎ  ＬＣＱ  Ｄｕｏ質量分析計を用いて分析した。スペクトルでは、１０価、９価及び８価のリゾチーム・イオン（１０倍、９倍及び８倍にプロトン化された形）を確認することができる。
【００６３】
図６は、図２に示した装置によって得られた質量スペクトルを示している。ブラジキニン１０ｎｇを含む水溶液１０μｌを、ガラス表面で乾燥させた。表面から脱離したペプチドの気体状イオンを、Ｔｈｅｒｍｏ  Ｆｉｎｎｉｇａｎ  ＬＣＱ  Ｄｕｏ質量分析計を用いて分析した。スペクトルでは、２価及び１価のブラジキニン・イオン（１倍及び２倍にプロトン化された形）、並びにそれらのナトリウム付加生成物を確認することができる。
【００６４】
図７は、図３に示した装置によって得られた質量スペクトルを示している。厚さ２０μｍの凍結切断したラットの脳の薄片を、ガラス表面に堆積させた。脱離イオン化によってサンプルの脂質タイプの成分の陰イオンが得られ、それをＴｈｅｒｍｏ  Ｆｉｎｎｉｇａｎ  ＬＣＱ  Ｄｕｏ質量分析計を用いて分析した。スペクトルでは、脂肪酸及びリン脂質のイオンを確認することができる。
【００６５】
図８は、図４に示した装置によって得られた質量スペクトルを示している。外科的に露出させた心臓の表面から、水噴射法によってイオン化した成分の陰イオンを、Ｔｈｅｒｍｏ  Ｆｉｎｎｉｇａｎ  ＬＣＱ  Ｄｕｏ質量分析計を用いて分析した。スペクトルでは、心臓の代謝過程に重要な役割を果たすイオンを確認することができる。
【実施例】
【００６６】
以下の実用的な実施例及び図面の参照によって、本発明による方法について詳しく説明するが、特許請求の範囲をそれらに限定するものではない。
【００６７】
「実施例１」
乾燥させた溶媒溶液の液滴を分析する質量分析のための水噴射用の脱離イオン源
１．１．質量分析のための水噴射用の脱離イオン源は、以下の部品を備えている。
ＨＰＬＣポンプ（Ｊａｓｃｏ社）、
外径１．５８７５ｍｍ（１／１６’’）および内径１ｍｍのステンレス鋼の管（１１）、
コネクタ（Ｓｗａｇｅｌｏｋ社、Ｕｐｃｈｕｒｃｈ社）（１３）、
シール（Ｓｗａｇｅｌｏｋ社、Ｕｐｃｈｕｒｃｈ社）（１４）、
内径５μｍのサファイア・ノズル（３）、
３Ｄ線形移動用の２つの移動ステージ（Ｎｅｗｐｏｒｔ社）、
１方向の回転用の回転ステージ（Ｎｅｗｐｏｒｔ社）、
高圧電源（Ｂｅｒｔａｎ社）（４）、
外径１．５８７５ｍｍ（１／１６’’）および内径１ｍｍのＨＤＰＥの管（１７）、
膜ポンプ、
質量分析計（Ｔｈｅｒｍｏ  Ｆｉｎｎｉｇａｎ  ＬＣＱ  Ｄｕｏ）。
【００６８】
１．２．質量分析のための水噴射用の脱離イオン源の構造
装置の概略図を図２に示す。ステンレス鋼の管１１は、ＨＤＰＥの管を通してＨＰＬＣポンプに接続され、ノズル３は図２に従って接続される。ノズルを有するステンレス鋼の管の端部は、適切なねじ込み式ホルダ１２を利用して回転ステージに取り付けられ、前記回転ステージは、ステンレス鋼の管が移動ステージから電気的に分離されるように、３Ｄ線形移動用のステージ・システムに取り付けられる。前記移動用のステージ・システムは、適切なボルトを用いて、質量分析計の大気のインターフェース部分９に取り付けられた供給源の台に取り付けられる。高圧電源４の電気出口は、ステンレス鋼の管１１に接続される。
【００６９】
ポリエチレンで製造されたサンプルの保持体プレートが、ねじを用いて、もう１つの３Ｄ線形移動用のステージ・システムに取り付けられる。３Ｄ線形移動用のステージ・システムは、表１に示す値に従って図２に定める形状パラメータが設定されるように、やはり前記供給源の台に取り付けられる。
【００７０】
過剰な液体を表面から除去するために用いられるＨＤＰＥの管１７は、ＨＤＰＥの管の端部がノズルから１ｍｍの距離になるように、ステンレス鋼の管１１に取り付けられる。ＨＤＰＥの管１７の遠位端（すなわちサンプルから遠い方）は、上記目的のために使用する膜ポンプに接続される。
【００７１】
１．３．乾燥させた溶媒液滴を調べるための水噴射用の脱離イオン源の使用
溶液相のサンプルを滴下し、厚さ１ｍｍのポリメタクリル酸メチルの表面５で乾燥させる。表面に向けられる液体噴射は、０．１％酢酸水溶液をＨＰＬＣポンプにより１０μｌ／分の流速でノズルを通して送り込むことによって確立され、その場合、ノズル３から出る液体噴射が、サンプルの表面に対して７０度の衝突角度を有するようにする。サンプル及びノズルは、図示した収集角度が２０度になるように位置決めされる。他の実験の詳細を表１に要約する。
【００７２】
【表１】
0005492552.tif 000002
【００７３】
表面で堆積及び乾燥させたサンプル６が、３Ｄ線形移動用のステージ・システムを用いることによって連続的に調べられる。図５は、溶液の小滴として表面に堆積させた１００ｎｇのブラジキニンの質量スペクトルを示し、図６は溶液の小滴として表面に堆積させた１０ｎｇのシトクロムＣの質量スペクトルを示している。スペクトルは、エレクトロスプレー・イオン化によって得られる化合物のスペクトルと高い類似性を示し、スペクトルの解釈は同じ一般的な規則に基づいて行われる。噴射による脱離のスペクトルの特徴とエレクトロスプレーのスペクトルの特徴との間の類似性は、イオンの生成が事実上、多価に帯電した液滴から行われることに関連付けられる。エレクトロスプレーと比較した噴射による脱離イオン化の主な利点の１つは、高処理量の分析（１分あたり１０を超えるサンプル）の場合の相互汚染が完全になくなることである。
【００７４】
「実施例２」
サンプル内の特定化合物の濃度の空間的分布を決める質量分析のための水噴射用の脱離イオン源
２．１．サンプル内の特定化合物の濃度の空間的分布を決める質量分析のための水噴射用の脱離イオン源は、以下の部品を備えている：
ＨＰＬＣポンプ（Ｊａｓｃｏ）、
外径１．５８７５ｍｍ（１／１６’’）および内径１ｍｍのステンレス鋼の管（一端が０．２ｍｍの長さの溶接によって塞がれ、塞がれた部分にレーザ・ドリルによって貫通穴をあけ、直径１μｍの円形断面のオリフィスを形成する）（１１）、
コネクタ（Ｓｗａｇｅｌｏｋ社、Ｕｐｃｈｕｒｃｈ社）（１３）、
シール（Ｓｗａｇｅｌｏｋ社、Ｕｐｃｈｕｒｃｈ社）（１４）、
３Ｄ線形移動用のコンピュータ制御の２つの移動ステージ（Ｎｅｗｐｏｒｔ社）、
１方向の回転用の回転ステージ（Ｎｅｗｐｏｒｔ社）、
高圧電源（Ｂｅｒｔａｎ社）（４）、
外径１．５８７５ｍｍ（１／１６’’）および内径１ｍｍのＨＤＰＥの管１７、
膜ポンプ、
質量分析計（Ｔｈｅｒｍｏ  Ｆｉｎｎｉｇａｎ  ＬＣＱ  Ｄｕｏ）。
【００７５】
２．２．サンプル内の特定化合物の濃度の空間的分布を決めるための水噴射用の脱離イオン源の構造
装置の概略図を図３に示す。ノズル３の中で終わるステンレス鋼の管１１は、ＨＤＰＥの管を通してＨＰＬＣポンプに接続される。ステンレス鋼の管の端部は回転ステージに取り付けられ、前記回転ステージは、ステンレス鋼の管が移動ステージから電気的に分離されるように、３Ｄ線形移動用のステージ・システムに取り付けられる。前記移動用のステージ・システムは、適切なボルトを用いて、質量分析計の大気のインターフェース部分に取り付けられた供給源の台に取り付けられる。高圧電源４の電気出口は、前記ステンレス鋼の管１１に接続される。
【００７６】
ポリエチレンで製造されたサンプルの保持体プレートが、適切なねじを用いて、他の３Ｄ線形移動用のステージ・システムに取り付けられる。３Ｄ線形移動用のステージ・システムは、図２に定める形状パラメータが設定されるように、やはり前記供給源の台に取り付けられる。
【００７７】
過剰な液体を表面から除去するために用いられるＨＤＰＥの管１７は、ＨＤＰＥの管の端部がノズルから１ｍｍの距離になるように取り付けられる。ＨＤＰＥの管１７の遠位端（すなわちサンプルから遠い方）は、前記目的のために使用する膜ポンプに接続される。
【００７８】
２．３．サンプル内の特定化合物の濃度の空間的分布を決めるための水噴射用の脱離イオン源の使用
例えば生物組織の精査など、必要に応じてサンプル６をサンプルの保持体プレートに載せて固定する。装置に対して表２に挙げた動作パラメータを設定し、図３に１９として示すように、サンプルをノズル及び質量分析計に対して１０μｍ／秒の速度で相対的に移動させる。表面を走査する間、質量スペクトルが連続的に得られる。厚さ１０〜５０μｍのサンプルの上層１８は完全に切除されるため、サンプルが完全に使い尽くされるまで走査を繰り返すことができる。コンピュータ制御の移動ステージによって、収集されたデータを元の位置と対比して示すことができる。そのため、特定成分の空間的な濃度分布の測定が可能である。図７は、図示した装置によって得られたラットの脳部の質量スペクトルを示している。
【００７９】
【表２】
0005492552.tif 000003
【００８０】
「実施例３」
水噴射による脱離に基づく外科用装置
３．１．水噴射による脱離に基づく外科用装置は、以下の部品を備えている（装置を図４に示す）。
ＨＰＬＣポンプ（Ｊａｓｃｏ社）、
外径１．５８７５ｍｍ（１／１６’’）および内径１ｍｍのステンレス鋼の管（１１）、
コネクタ（Ｓｗａｇｅｌｏｋ社、Ｕｐｃｈｕｒｃｈ社）（１３）、
シール（Ｓｗａｇｅｌｏｋ社、Ｕｐｃｈｕｒｃｈ社）（１４）、
１〜５μｍの内径を有する引かれたシリカの毛管ノズル（３）、
高圧電源（Ｂｅｒｔａｎ）（４）、
外径１．５８７５ｍｍ（１／１６’’）および内径１ｍｍのＨＤＰＥの管（１７）、
膜ポンプ、
質量分析計（Ｔｈｅｒｍｏ  Ｆｉｎｎｉｇａｎ  ＬＣＱ  Ｄｕｏ社）。
【００８１】
３．２．噴射による脱離に基づく外科用装置の構造
０．３２ｍｍの外径及び１０μｍの内径を有する溶融石英の毛管が、一端（３）において１μｍの外径まで引かれ、その他端は、ＨＰＬＣポンプに接続された１．５８７５ｍｍ（１／１６’’）の外径を有するＨＤＰＥの管に接続される。１ｍの長さ、３．１７５ｍｍ（１／８’’）の外径及び２ｍｍの内径を有する銅管（２０）が、質量分析計の入口に接続され、銅管（２０）は、ヒータ（２１）及び温度計（２２）を備えている。ヒータ及び温度計は、電子式の温度制御装置に接続される。
【００８２】
ノズル、質量分析計に接続された銅管、及び過剰な水を吸引するためのＨＤＰＥの管が、ＰＥＥＫポリマー材料で製造されたホルダ（１９）に埋め込まれる。
【００８３】
３．３．噴射による脱離に基づく外科用装置の使用
ＨＰＬＣポンプのスイッチを入れると、装置は、例えば生物組織などの任意の柔らかい物体を切断できる。図４に示すように、液体噴射は、サンプル（６）の表面に時間の関数として深さが増大する空洞（２３）を形成し、装置を横方向に移動させると、サンプルの物体が切断される。装置によって組織に関する適切な化学的情報を生成するためには、表３に挙げたパラメータが最適であることが分かった。図８は、外科的処置の過程におけるラットの心臓について、装置によって記録された質量スペクトルを示している。
【００８４】
【表３】
0005492552.tif 000004
【産業上の利用可能性】
【００８５】
これまでに言及したように、本発明は、化学産業、環境分析、診断、生体液、組織、代謝、マーカ化合物、腫瘍マーカの研究、一般医療、外科学、バクテリア／ウイルス・マーカの研究、薬物レベルの同定、組織サンプルの研究、薬理学（ＡＤＭＥ、毒物学）、職場の健康／安全、法医毒物学、製薬／食品業界の毒物学、組織学、生理学／生化学の研究、材料科学（プラスチック、複合材、冶金学上の用途）、考古学（年代測定、顔料の研究、起源測定）、微生物学（ヒト及び自然サンプルからのバクテリア、菌類の検出）など、様々な産業分野で利用することができる。
【符号の説明】
【００８６】
Ａ  脱離ユニット
１  液体噴射
２  液体
２Ｂ  液体を移動させるための管
３  ノズル
４  電位差を発生させるための装置
５  表面体
６  サンプル
７  液体の液滴
８  イオン又はイオンに変換可能なサンプル粒子
９  サンプル収集装置ユニット
１０  分析装置ユニット
１１  管
１２  ねじ止め式ホルダ
１３  コネクタ
１４  シール
１５  衝突角度
１６  収集角度
１７  排液管
１８  サンプルの上面
１９  ホルダ
２０  分析装置ユニットに接続された管
２０Ａ  分析装置ユニットに接続された管の出口
２１  ヒータ
２２  温度計
２３  サンプルにあけられた空洞
【図１】
0005492552.tif 000005
【図２】
0005492552.tif 000006
【図３】
0005492552.tif 000007
【図４】
0005492552.tif 000008
【図５】
0005492552.tif 000009
【図６】
0005492552.tif 000010
【図７】
0005492552.tif 000011
【図８】
0005492552.tif 000012